(57)【要約】【課題】衣類の前身頃と後身頃を離して乾燥しやすくし、かつガラス面等から離して効果的に洗濯物を干すことである。【解決手段】衣類ハンガーの掛け具であって、この衣類ハンガーの掛け具は掛け具本体と、この掛け具本体を家具等の固定部に取り付ける取付部材から構成され、この掛け具は垂直軸から角度を持って設けられた斜め部材と、上部に衣類を掛けるフックを有し、衣類ハンガーをこのフックと斜め部材に沿って斜めに掛けることを特徴とする斜め掛けハンガーである。【選択図】図２
2016059774.tif 000002
【特許請求の範囲】
【請求項１】
衣類ハンガーの掛け具であって、この衣類ハンガーの掛け具は掛け具本体と、この掛け具本体を家具等の固定部に取り付ける取付部材から構成され、この掛け具は垂直軸から角度を持って設けられた斜め部材と、上部に衣類を掛けるフックを有し、衣類ハンガーをこのフックと斜め部材に沿って斜めに掛けることを特徴とする斜め掛けハンガー。
【請求項２】
請求項１の斜め掛けハンガーの掛け具本体の上部に取付部材を設け、下部に支持脚を設けたことを特徴とする斜め掛けハンガー。
【請求項３】
請求項１または請求項２の斜め掛けハンガーの取付部材を、吸盤としたことを特徴とする斜め掛けハンガー。
【請求項４】
請求項１または請求項２の斜め掛けハンガーの取付部材を、磁石としたことを特徴とする斜め掛けハンガー。
【請求項５】
請求項１または請求項２の斜め掛けハンガーの取付部材を、略矩形の鈎状のフックとしたことを特徴とする斜め掛けハンガー。
【請求項６】
請求項１の斜め掛けハンガーの取付部材において、掛け具本体には左右対称の斜め部材を設けたことを特徴とする斜め掛けハンガー。
【発明の詳細な説明】
【技術分野】
【０００１】  この発明は、一般の衣類ハンガーを斜めに掛けて衣類を乾燥させる斜め掛けハンガーに関する。
【背景技術】
【０００２】  従来、雨の日などに洗濯物を室内で干すための干し具が考えられていた。しかしながら、もともと室内は生活空間であり、洗濯物を干すことを想定していなく、場所が限定されていた。その中で、壁面やガラス面などに取り付けて干す次の技術が開示されていた。
【先行技術文献】
【特許文献】
【０００３】
【特許文献１】特開２００２−２７２５９０
【特許文献２】特開２０１０−１８７８０３
【発明の概要】
【発明が解決しようとする課題】
【０００４】  特許文献１、特許文献２の掛け具はガラス面に吸盤を取り付けて、掛け部やスタンドをガラス面等から突出させている。このため、ガラス面等から洗濯物を離して干すことができるが、掛け部やスタンドがガラス面等から突出しており危険であった。非使用時には折りたためるようになっているが、折りたたむのを忘れたりして、不用意に顔面等をぶつける恐れがあった。また、何れも衣類の前身頃と後身頃が密着しているので、乾きが遅いという問題があった。
【課題を解決するための手段】
【０００５】  衣類ハンガーの掛け具であって、この衣類ハンガーの掛け具は掛け具本体と、この掛け具本体を家具等の固定部に取り付ける取付部材から構成され、この掛け具は垂直軸から角度を持って設けられた斜め部材と、上部に衣類を掛けるフックを有し、衣類ハンガーをこのフックと斜め部材に沿って斜めに掛けることを特徴とする斜め掛けハンガーである。
【発明の効果】
【０００６】  この発明では、上記の問題点を解決し、衣類の前身頃と後身頃を離して乾燥しやすくし、かつガラス面等から離して効果的に洗濯物を干すことができる。
【図面の簡単な説明】
【０００７】
【図１】第一の実施例の斜め掛けハンガーを示す側面図である。
【図２】第一の実施例の斜め掛けハンガーを示す断面図である。
【図３】第一の実施例の斜め掛けハンガーを示す正面図である。
【図４】第一の実施例の斜め掛けハンガーを示す背面図である。
【図５】第一の実施例の斜め掛けハンガーの使用時を示す側面図である。
【図６】第一の実施例の斜め掛けハンガーの使用時を示す正面図である。
【図７】第二の実施例の斜め掛けハンガーを示す側面図である。
【図８】第三の実施例の斜め掛けハンガーを示す側面図である。
【図９】第四の実施例の斜め掛けハンガーを示す側面図である。
【図１０】第五の実施例の斜め掛けハンガーを示す側面図である。
【発明を実施するための形態】
【０００８】  衣類ハンガーの掛け具であって、この衣類ハンガーの掛け具は掛け具本体と、この掛け具本体を家具等の固定部に取り付ける取付部材から構成され、この掛け具は垂直軸から角度を持って設けられた斜め部材と、上部に衣類を掛けるフックを有し、衣類ハンガーをこのフックと斜め部材に沿って斜めに掛けることを特徴とする斜め掛けハンガーである。
上記の斜め掛けハンガーの掛け具本体の上部に取付部材を設け、下部に支持脚を設けたことを特徴とする斜め掛けハンガーである。
【０００９】  上記の斜め掛けハンガーの取付部材を、吸盤としたことを特徴とする斜め掛けハンガーである。
上記の斜め掛けハンガーの取付部材を、磁石としたことを特徴とする斜め掛けハンガーである。
上記の斜め掛けハンガーの取付部材を、略矩形の鈎状のフックとしたことを特徴とする斜め掛けハンガーである。
上記の斜め掛けハンガーの取付部材において、掛け具本体には左右対称の斜め部材を設けたことを特徴とする斜め掛けハンガーである。
【実施例】
【００１０】  図１から図４により第一の実施例を説明すると、斜め掛けハンガー１０は、掛け具本体２０と吸盤３０とから構成されている。掛け具本体２０は、基盤２１と、基盤２１の頂部から斜め下方に傾斜する斜め部材２２と、基盤２１の頂部から上方に延在するフック２３とから構成されている。斜め部材２２の傾斜角はこの実施例では３５度から４０度である。【００１１】  吸盤３０は、吸盤本体３１と吸盤取付部３２とから構成され、吸盤取付部３２が、基盤２１の取付穴２４に嵌合して結合されている。
斜め部材２２は、上部支持部２５と下部支持部２７が中央基部２６により結合されている。掛け具本体２０は、プラスチックで一体に形成するのが好ましい。【００１２】  掛け具本体２０の上方に吸盤３０を取り付け、掛け具本体２０の下方に支持脚２８を設けている。従って、吸盤３０と支持脚２８のスパンＬの長さを大きく取っているので、吸盤３０を剥がそうとする力を少なくすることができる。【００１３】  図５、図６により、斜め掛けハンガー１０の使用方法を説明すると、斜め掛けハンガー１０は、吸盤３０によりガラス面に吸着される。ハンガー４０のハンガーフック４１がフック２３に掛けられ、ハンガー４０は斜め部材２２に沿って斜めに掛けられる。ハンガー４０のハンガーフック４１は、上部支持部２５で支えられ、ハンガー本体４２は下部支持部２７により支えられて安定する。【００１４】  ハンガー４０が斜めに掛けられるので、洗濯衣類５０は前身頃５１と後身頃５２が離れて吊り下げられ、風通しがよく、乾燥が早いという効果が得られる。
この実施例の斜め掛けハンガー１０は、斜め掛けハンガー１０自体がガラス面から突出しない。従って、使用時、非使用時に関わらず誤って斜め掛けハンガー１０に顔面等をぶつけるという危険を避けることができる。【００１５】  図７は、第二の実施例であり、吸盤の代わりに磁石６０を用いたものである。冷蔵庫やキャビネットなど金属製の家具に取り付け可能である。
図８は、第三の実施例であり、掛け具フック２９を設けて、長押７０やクローゼットの引き出しなどに取り付けることができる。【００１６】  図９は、第四の実施例であり、斜め部材２２を左右対称に２個設けて、上部に掛け具フック２９を設けたものである。屋内外で、物干し竿に掛けて使用することができる。ハンガーが斜めに掛けられるので、洗濯物の前身頃と後身頃が開き、乾燥しやすくなる利点がある。
図１０は、第五の実施例であり、第四の実施例の掛け具フック２９に開閉可能なレバー２９Ａ、軸２９Ｂ、押さえ部２９Ｃを設けたものである。物干し竿等をしっかり挟んで安定させることができる。
【産業上の利用可能性】
【００１７】  この発明の斜め掛けハンガーは、洗濯物を室内で干すだけでなく、屋外でも利用可能である。
【符号の説明】
【００１８】１０は斜め掛けハンガー
２０は掛け具本体
２１は基盤
２２は斜め部材
２３はフック
２４は取付穴
２５は上部支持部
２６は中央基部
２７は下部支持部
２８は支持脚
２９は掛け具フック
３０は吸盤
３１は吸盤本体
３２は吸盤取付部
４０はハンガー
４１はハンガーフック
４２はハンガー本体
５０は洗濯衣類
５１は前見頃
５２は後身頃
６０は磁石
７０は長押
【図１】
2016059774.tif 000003
【図２】
2016059774.tif 000004
【図３】
2016059774.tif 000005
【図４】
2016059774.tif 000006
【図５】
2016059774.tif 000007
【図６】
2016059774.tif 000008
【図７】
2016059774.tif 000009
【図８】
2016059774.tif 000010
【図９】
2016059774.tif 000011
【図１０】
2016059774.tif 000012